(57)【要約】      （修正有）【課題】操作を誤りやすい所定の機能を選択した場合にのみ操作方法の表示を促す画像形成装置を提供する。【解決手段】画像形成装置は、タッチ検出機能を有し、タッチ操作により操作を行うことが可能な操作表示部を備えた画像形成装置であって、前記操作表示部は、ヘルプ画面を表示するヘルプボタンを備え、所定のタッチ操作を検出したことにもとづいて、前記ヘルプボタンの表示態様を第１の表示態様から第２の表示態様に変更する。【選択図】図１
2014203440.tif 000002
【特許請求の範囲】
【請求項１】
タッチ検出機能を有し、タッチ操作により操作を行うことが可能な操作表示部を備えた画像形成装置であって、
前記操作表示部は、ヘルプ画面を表示するヘルプボタンを備え、所定のタッチ操作を検出したことにもとづいて、前記ヘルプボタンの表示態様を第１の表示態様から第２の表示態様に変更することを特徴とする画像形成装置。
【請求項２】
前記表示態様の変更には、前記ヘルプボタンの点滅、点灯及び変色のうち、少なくともいずれか一つが含まれることを特徴とする請求項１に記載の画像形成装置。
【請求項３】
前記表示態様の変更には、前記ヘルプボタンの形状を変化させることが含まれることを特徴とする請求項１または２に記載の画像形成装置。
【請求項４】
第１の表示態様で表示される前記ヘルプボタンにタッチ操作を行った場合には、第１のヘルプ画面を表示し、
第２の表示態様で表示される前記ヘルプボタンにタッチ操作を行った場合には、第２のヘルプ画面を表示することを特徴とする請求項１から３に記載の画像形成装置。
【請求項５】
前記表示態様が、所定回数変更された場合には、前記表示態様の変更を中止することを特徴とする請求項１から４に記載の画像形成装置。
【発明の詳細な説明】
【技術分野】
【０００１】
本発明は、画像形成装置の操作パネルに関する。
【背景技術】
【０００２】
一般に、画像形成装置、映像表示装置などの家電機器は、当該機器の操作の説明を行うためのマニュアルやヘルプ機能を備えているものが多く、使用者は、これらを参照することで、操作の説明を得られる。
【０００３】
特許文献１には、ユーザにより操作されたキーについて関連付けられた操作マニュアルの項目が、紙媒体に印刷された操作マニュアルのイメージのままで表示されることで、ユーザが操作に関する情報を理解し易く表示させることができる画像形成装置について開示されている。
【０００４】
図１０は、画像形成装置の表示パネルに表示される画面の一例を示していて、図１０（Ａ）に示すように、画像形成装置の表示パネルの操作表示エリアに初期画面が表示されている状態で、左上端の「コピー」キーを押下すると、取説表示エリアに、コピーの基本操作についてのページが表示される。さらに、図１０（Ｂ）に示すように、コピー機能の倍率キーを押下すると、取説表示エリアに、コピー倍率設定の取説ページが表示される。
【先行技術文献】
【特許文献】
【０００５】
【特許文献１】特開２０１０−１８５９９４号公報
【発明の概要】
【発明が解決しようとする課題】
【０００６】
しかしながら、特許文献１に記載の発明は、ユーザにより選択されたキーに関連付けされた取扱説明書の所定のページをキーが選択されるごとに表示するため、操作に熟練しているユーザにとっては、かえって煩わしく問題である。
【０００７】
そこで、本発明は、上記課題を解決するためのものであり、操作を誤りやすい所定の機能を選択した場合にのみ操作方法の表示を促す画像形成装置を提供することを目的とする。
【課題を解決するための手段】
【０００８】
本発明に係る画像形成装置は、タッチ検出機能を有し、タッチ操作により操作を行うことが可能な操作表示部を備えた画像形成装置であって、前記操作表示部は、ヘルプ画面を表示するヘルプボタンを備え、所定のタッチ操作を検出したことにもとづいて、前記ヘルプボタンの表示態様を第１の表示態様から第２の表示態様に変更することを特徴とする。
【０００９】
前記表示態様の変更には、前記ヘルプボタンの点滅、点灯及び変色のうち、少なくともいずれか一つが含まれることを特徴とする。
【００１０】
前記表示態様の変更には、前記ヘルプボタンの形状を変化させることが含まれることを特徴とする。
【００１１】
第１の表示態様で表示される前記ヘルプボタンにタッチ操作を行った場合には、第１のヘルプ画面を表示し、第２の表示態様で表示される前記ヘルプボタンにタッチ操作を行った場合には、第２のヘルプ画面を表示することを特徴とする。
【００１２】
前記表示態様が、所定回数変更された場合には、前記表示態様の変更を中止することを特徴とする。
【発明の効果】
【００１３】
本発明に係る画像形成装置によれば、操作を誤りやすい所定の機能を選択した場合にのみ操作方法の表示を促すことができる。
【図面の簡単な説明】
【００１４】
【図１】本発明の第１の実施例に関するブロック構成図。
【図２】本発明の第１に実施例に関するコピーモードの基本画面を示す図。
【図３】本発明の第１の実施例に関する両面コピーの設定画面を示す図。
【図４】本発明の第１の実施例に関するコピーについてのヘルプ画面を示す図。
【図５】本発明の第１の実施例に関する両面コピーの設定画面を示す図。
【図６】本発明の第１の実施例に関するコピーについてのヘルプ画面を示す図。
【図７】本発明の第１の実施例に関する両面コピーの操作について示すフローチャート。
【図８】本発明の第２の実施例に関する両面コピーの設定画面を示す図。
【図９】本発明の第３の実施例に関するブロック構成図。
【図１０】従来技術に関する説明図。
【発明を実施するための形態】
【００１５】
（実施形態１）
本発明の実施例１について、図１から図７を用いて説明する。図１は、本発明に係る画像形成装置のブロック構成図であり、画像入力部１、画像処理部２、操作表示部３、印刷部４、ヘルプ表示設定部５、制御部６から構成される。
【００１６】
次に、本実施例の動作について説明する。画像入力部１は、所定の原稿を露光走査して原稿画像を読み取るものであり、例えば、ＣＣＤ（Ｃｈａｒｇｅ  Ｃｏｕｐｌｅｄ  Ｄｅｖｉｃｅ）を用いたイメージスキャナ等が利用されていて、読み取った画像データを画像処理部に入力する。
【００１７】
画像処理部２は、入力された画像データに対して、圧縮、伸張などの所定の画像処理を施して、処理後の画像データを印刷部４に入力する。
【００１８】
印刷部４は、入力される画像データにもとづいて、用紙上に画像を形成するものであり、感光体ドラムを帯電、露光させ、潜像を形成し、用紙に転写する。
【００１９】
操作表示部３は、表示パネルとタッチパネルとが一体として形成されているタッチパネル一体型液晶表示装置から構成されている。画像形成装置の動作状況、各種設定内容等の表示を操作画面として表示する。操作表示部は、タッチ検出機能を有し、使用者が、機能選択ボタンに対してタッチ操作を行うことで、操作表示部は、これを検出して各種設定内容等の変更を行う。
【００２０】
ヘルプ表示設定部５は、操作表示部において、使用者によって変更される各種設定内容のうち、所定の設定を変更するタッチ操作を行った場合に、操作表示部の操作画面の表示形態を変更するための設定を行う。
【００２１】
図２は、コピーモードの基本画面について示していて、７はカラーモード、８は原稿、９は用紙、１０は両面コピー、１１は倍率、１２はコピー濃度、１３は仕上げの各機能を選択するためのボタンである。また、１４はヘルプ画面を表示するためのボタン（以下、ヘルプボタンと称呼する）であり、前記ヘルプ画面は、コピー等の機能に関する操作方法を表示する画面である。
【００２２】
そして、図３は、図２における両面コピーのボタンにタッチした場合に表示される操作画面について示していて、１５は両面コピー設定画面である。また、１６は片面から片面にコピーするためのボタンで、１７は片面から両面、１８は両面から両面、１９は両面から片面にコピーするためのボタンを示している。図３は、片面から片面にコピーするためのボタン１６を選択している様子を示している。
【００２３】
図４は、両面コピー全般に関する操作方法を表示するヘルプ画面について示していて、図３で示した両面コピー設定画面１５が表示されている場合に、ヘルプボタン１４をタッチすることにより表示される。
【００２４】
ここで、図５に示すように、使用者が特に片面から両面にコピーするためのボタン１７を選択している場合には、制御部６は、ヘルプボタン１４を点滅させて目立たせて表示させ、操作方法に関するヘルプ画面の存在を認識させる。
【００２５】
すなわち、使用者が、片面から両面にコピーするためのボタン１７をタッチした場合には、ヘルプボタン１４を点滅させて、該ヘルプボタン１４の表示態様を変更する。ヘルプボタン１４をタッチした場合には、ヘルプ表示設定部５は、図６に示すようなヘルプ画面を表示させる。
【００２６】
尚、ヘルプボタンを目立たせて表示するに際しては、点滅に限らず、点灯、変色などのいずれの手法を用いてもよい。
【００２７】
また、上記では、片面から両面にコピーするためのボタンを選択している場合にヘルプボタンを点滅させるとしたが、これに限られないことは言うまでもない。
【００２８】
これにより、コピーに関する操作について不慣れな初心者に対して、ヘルプボタンを点滅等させて目立たせて表示することにより、操作方法に関するヘルプ画面の存在を認識させられる。また、特定の機能を選択した場合にのみヘルプボタンの表示態様を変更することで、コピーに関する操作について熟練者にとっても煩わしく感じることを防止できる。
【００２９】
上述した両面コピーの機能を選択した場合における一連の動作について、フローチャートとして図７に示す。
【００３０】
ステップＳ１において、図２を用いて上述した両面コピーのボタン１０をタッチすると、ステップＳ２において、図３で示した両面コピー設定画面１５を表示する。ステップＳ３において、ヘルプボタン１４をタッチすると、図４のような両面コピー全般に関するヘルプ画面を示す。
【００３１】
ステップＳ５において、片面から両面にコピーするためのボタン１７をタッチするとステップＳ６において、ヘルプボタン１４が点滅し、ステップ７においてヘルプボタン１４をタッチすると図６を用いて示したヘルプ画面を表示する。
【００３２】
以上、本実施形態に係る画像形成装置によれば、操作を誤りやすい特定の機能を選択した場合にのみヘルプボタンの表示を変化させるとしたので、熟練者にとっては煩わしさを感じさせることなく、初心者に対しては、操作方法に関するヘルプ画面の存在を認識させることができる。
【００３３】
（実施形態２）
本発明の実施形態２について図８を用いて説明する。図８は、両面コピーの設定画面で片面から両面にコピーするためのボタンを選択している場合の様子を示していて、実施形態１で上述した図５とは異なり、ヘルプボタン２０の形状を変化させるとともに、点滅させている。
【００３４】
これにより、熟練者にとっては煩わしさを感じさせることなく、初心者に対しては、操作方法に関するヘルプ画面の存在を認識させることができる。
【００３５】
尚、実施形態１及び２で説明したヘルプボタンの表示形態については、相互に組み合わせて用いてもよいことは言うまでもなく、使用者が表示形態を自由に選択できるような構成であってもよい。
【００３６】
（実施形態３）
本発明の実施形態３について図９を用いて説明する。図９は、本実施形態の画像形成装置に係るブロック構成図を示していて、実施形態１とは異なり、操作記憶部２１を設けている。
【００３７】
以下、本実施形態における動作について説明する。操作記憶部２１は、操作表示部３において使用者がボタンをタッチした回数を記憶する。具体的には、使用者が特に片面から両面にコピーするためのボタンをタッチした回数を記憶する。
【００３８】
制御部６は、前記操作記憶部２１に記憶されている片面から両面にコピーするためのボタン１７をタッチした回数が所定回数を超えた場合に、ヘルプボタンの表示の変化を中止する。
【００３９】
このような構成とすることで、使用者が操作に不慣れな状態である場合には、操作方法に関するヘルプ画面の存在を認識させることができ、使用者が操作に慣れてきたならば、ヘルプボタンの表示の変化を中止するため、煩わしさを感じさせることがない。
【００４０】
尚、前記所定回数は、使用者が設定できる構成としてもよい。
【００４１】
また、本実施形態では、片面から両面にコピーするためのボタンをタッチした回数が所定回数を超えた場合に、ヘルプボタンの表示の変化を中止するとしたが、これに限られず、ヘルプ画面を表示させた回数が所定回数を超えた場合にヘルプボタンの表示の変化を中止するとしてもよい。
【００４２】
以上、本実施形態に係る画像形成装置によれば、ヘルプボタンの表示を変化させる回数を一定回数に制限することで、使用者が操作に不慣れな状態である場合には、操作方法に関するヘルプ画面の存在を認識させることができ、使用者が操作に慣れてきたならば、ヘルプボタンの表示の変化を中止するため、煩わしさを感じさせることがない。
【符号の説明】
【００４３】
１  画像入力部
２  画像処理部
３  操作表示部
４  印刷部
５  ヘルプ表示部
６  制御部
【図１】
2014203440.tif 000003
【図２】
2014203440.tif 000004
【図３】
2014203440.tif 000005
【図４】
2014203440.tif 000006
【図５】
2014203440.tif 000007
【図６】
2014203440.tif 000008
【図７】
2014203440.tif 000009
【図８】
2014203440.tif 000010
【図９】
2014203440.tif 000011
【図１０】
2014203440.tif 000012